(57)【要約】      （修正有）【課題】書類や手紙などが入れられた封筒を開封する際、封筒を人の手によって破いても内部の書類や手紙などの端部が破け或いは損傷することなく開封出来ると共に簡単に且つきれいに開封出来、しかも封筒に宛名や住所等をパソコンで印刷する場合や長期保管に弊害が生じない封筒を提供する。【解決手段】封筒は、封筒本体１の開口端部２に開口部用フラップ３を設け、開口端部２と反対側の開口底部に底部封緘用フラップ５を設けると共に、底部封緘用フラップ５を折り曲げて封筒本体１に接着して開口底部を封緘し、且つ、底部封緘用フラップ５と封筒本体１を接着する際に、底部封緘用フラップ５の先端側を非接着にした開封片部５ａを有し、接着した部分の接着面が間隔を有して配置されている。底部用フラップ５の先端側の非接着部分を指でつまみ、底部用フラップを剥せば簡単に開封される。【選択図】図１
0003230277.tif 000002
【実用新案登録請求の範囲】
【請求項１】
封筒本体（１）の開口端部（２）に開口部封緘用フラップ（３）を設け、前記開口端部（２）と反対側の開口底部（４）に底部封緘用フラップ（５）を設けると共に、前記底部封緘用フラップ（５）を折り曲げて前記封筒本体（１）に接着して前記開口底部（４）を封緘し、且つ、前記底部封緘用フラップ（５）と前記封筒本体（１）を接着する際に、前記底部封緘用フラップ（５）の先端側を非接着にした開封片部（５ａ）を有し、接着した部分の接着面（６）が間隔を有して配置されていることを特徴とする封筒。
【請求項２】
前記底部封緘用フラップ（５）の前記接着面（６）が、複数の帯線状、複数の丸面状あるいは角面状である請求項１記載の封筒。
【考案の詳細な説明】
【技術分野】
【０００１】
本考案は、書類や手紙等の郵便物が入れられた封筒を開封する際、内部の書類や手紙などの端部が破け或いは損傷することなく手で簡単に開封出来ると共に、パソコン等で封筒に住所や宛名等を印刷する際にも支障がない、封筒に関する。
【背景技術】
【０００２】
一般に封筒を開封する際、ハサミやペーパーナイフ等を用いて封筒の先端部を切断したり、人の手によって封筒を破いて開封が行われていた。
ハサミやペーパーナイフ等による開封は、ハサミやペーパーナイフ等を身近に用意して置かねばならず、一方、封筒を人の手によって破いて開封すると、内部の書類や手紙などの端部が破け、或いは損傷する恐れがあるため、非常に気を使って開封しなければならないと共に破られた封筒の開口は見た目が悪いものとなっていた。
【０００３】
このため、人の手によって郵便物などが入れられた封筒を開封する際、内容物を傷付けることなく開封出来るものとして、特許第６０６７９１１号には、接着剤の塗布パターンを工夫し、開封が容易な封筒が提案されている。
これは、フラップ部及び袋体部に剥離性接着剤を塗布し、フラップ部によりの開口部を封緘する封筒であって、フラップ部及び袋体部の少なくとも一方の接着剤は、フラップ部と袋体部との境界線に平行に、フラップ部の長手方向の両端である一端部側から他端部側に向けて、一様の塗布量の厚味で、一端部である剥離の始端から他端部である剥離の終端に至るまで塗布量を徐々に大きくしたパターンとして塗布されて、構成されている。
【０００４】
しかしながら、特許第６０６７９１１号の封筒は、フラップ部及び袋体部に剥離性接着剤を塗布した状態で、袋体部に郵便物等を入れてフラップ部を折り曲げ、フラップ部と袋体部とを接着して開口部を閉止するが、袋体部に郵便物を入れる前の状態は、フラップ部及び袋体部の接着剤が剥き出した状態を呈している。
このため、封筒に宛名や住所等をパソコンで印刷する場合、プリンターの送りロールで
フラップ部と袋体部に塗布された接着剤が加圧され、封筒がロールに接着してプリンターが紙詰まりの状態で停止し、印刷でき無くなる虞があり、しかも、接着剤がロールに付着しプリンターが故障する等の問題点を有する。
また、フラップ部及び袋体部の接着剤が剥き出した状態の封筒では、長期間使用しないと、接着剤が劣化し接着力が低下して接着できず、長期保管に問題点を有していた。
【０００５】
また、内容物が傷付けることなく開封出来る他のものとしては、封筒の開口部にヒモを取付けたものが実開平６−４７１４６号に、封筒の底側に糊付けされた糸を貼り付けた実開平７−８３６号に提案されている。実開平６−４７１４６号や実開平７−８３６号は、封筒の折返し内側にヒモや糸を糊付けしているため、ヒモや糸を用意すると共にそれを動かぬように位置決めする必要があるため、コスト高になっていた。
【先行技術文献】
【特許文献】
【０００６】
【特許文献１】特許第６０６７９１１号公報
【特許文献２】実開平６−４７１４６号公報
【特許文献３】実開平７−８３６号公報
【考案の概要】
【考案が解決しようとする課題】
【０００７】
本考案は書類や手紙などが入れられた封筒を開封する際、封筒を人の手によって開封しても、内部の書類や手紙などの端部が破け或いは損傷することなく開封出来ると共に、簡単で綺麗に開封出来る封筒を提供することを目的とする。
他の目的は、封筒に宛名や住所等をパソコンで印刷する場合や長期保管に弊害が生じない封筒を提供するにある。
【課題を解決するための手段】
【０００８】
本考案は上記現状に基づいて成されたものであり、つまり、  封筒本体（１）の開口端部（２）に開口部封緘用フラップ（３）を設け、前記開口端部（２）と反対側の開口底部（４）に底部封緘用フラップ（５）を設けると共に、前記底部封緘用フラップ（５）を折り曲げて前記封筒本体（１）に接着して前記開口底部（４）を封緘し、且つ、前記底部封緘用フラップ（５）と前記封筒本体（１）を接着する際に、前記底部封緘用フラップ（５）の先端側を非接着にした開封片部（５ａ）を有し、接着した部分の接着面（６）が間隔を有して配置されていることを特徴とする。
【０００９】
また、前記底部封緘用フラップ（５）の前記接着面が、複数の帯線状、複数の丸面状あるいは角面状であるのがよい。
【考案の効果】
【００１０】
本考案は、  封筒本体（１）の開口部（２）に開口部用フラップ（３）を設け、前記開口部（２）と反対側の開口底部（４）に底部用フラップ（５）を設けると共に、前記底部用フラップ（５）を折り曲げて前記封筒本体（１）に接着して前記開口底部（４）を封緘し、且つ、前記底部用フラップ（５）と前記封筒本体（１）の接着が、前記底部封緘用フラップ（５）の先端側を非接着にした開封片部（５ａ）を有し、接着した部分の接着面（６）が間隔を有して配置させたことにより、開封際に、前記底部用フラップ（５）の先端側の非接着部分を指でつまみ、底部用フラップ（５）を剥せば簡単に開封される。
この際に、接着面が間隔を有して配置されていると、部分的に接着された状態であるから、剥す途中で底部用フラップ（５）が切れることもなく、容易に底部用フラップ（５）を封筒本体（１）から指で剥がすことができ、封筒の開口底部（４）側を綺麗に開封することができる。
【００１１】
また、本封筒には接着剤が剥き出した箇所がないため、封筒に宛名や住所等をパソコンで印刷する場合、剥き出した接着剤が加圧され、封筒がプリンターのロールに接着してプリンターが紙詰まりの状態で停止し、印刷できなくなるようなことがなく、しかも長期保管による接着剤の劣化もない。
【００１２】
また、底部用フラップ（５）を剥した開封状態では、封筒内の郵便物は、その端部が損傷されることが無く容易に取り出される。
【図面の簡単な説明】
【００１３】
【図１】本考案の実施形態を示す平面図である。
【図２】本考案の実施形態を示す底部封緘用フラップの説明図である。
【図３】本実施形態の底部封緘用フラップの開封片部を形成する接着状態を示す説明図である。
【図４】本実施形態の底部封緘用フラップの接着パターンを示す説明図である。
【考案を実施するための形態】
【００１４】
本考案の実施形態を図１〜図３に基づいて説明する。
（１）は封筒本体であり、該封筒本体（１）としては、紙や剛性樹脂シート、フイルム等から作られ、形状は特に限定されないが、公知の方形状の角形、長形、洋形等が使用され、中に郵便物等が封入される。
【００１５】
（２）は書類（９）や手紙等の郵便物を入れる封筒本体（１）の開口部である。（３）は封筒本体（１）の開口部（２）の一端より延設された開口部封緘用フラップであり、この開口部封緘用フラップ（３）は、開口部（２）から郵便物を入れた状態で折り曲げて封筒本体（１）の裏面に接着して開口部（２）を封緘させるためのものである。
（４）は開口部（２）と反対側に設けた封筒本体（１）の開口底部であり、（５）は開口底部（４）の一端より延設された底部封緘用フラップであり、この底部封緘用フラップ（５）で開口底部（４）を封鎖させている。
つまり、図１の如く、本封筒は、郵便物を入れる前から、開口底部（４）側は既に底部封緘用フラップ（５）で封鎖された状態のものである。
【００１６】
次に、底部封緘用フラップ（５）を折り曲げ、封筒本体（１）に接着して開口底部（４）を封緘する接着方法につき説明すると、底部封緘用フラップ（５）と封筒本体（１）を接着する際に、底部封緘用フラップ（５）の先端側を非接着にして、指で掴める開封片部（５ａ）を形成し、底部封緘用フラップ（５）の開封片部（５ａ）を除く他の部分が接着された複数の接着面（６）である。
開封片部（５ａ）は底部封緘用フラップ（５）の先端側の全域を非接着にして形成するのが底部封緘用フラップ（５）を剥す際に途中で切れる虞が少なくて好ましいが、先端側の一部、例えば両端側等を非接着に形成してもよく、開封片部（５ａ）の幅は、約2〜３ｍｍ程度である。
また、接着した部分の接着面（６）は間隔を開けて配置するのがよく、これにより開口底部（４）を開封する際に、底部封緘用フラップ（５）が剥す途中で切れたりせずに剥し易くなり好ましい。
【００１７】
図４に示すように、底部封緘用フラップ（５）の接着する接着面（６）のパターンは、図４ａに示す複数個の丸面状、あるいは複数個の角面状、図４ｂに示す複数本の帯線状等にするのがよく、これらが間隔を有して配置されている。要するに、接着面（６）のパターンは特に限定されず、底部封緘用フラップ（５）が途中で切れずに剥がれる間隔を有して配置されていればよい。
尚、底部封緘用フラップ（５）の接着は、底部封緘用フラップ（５）が破れることがなく剥がれ、配送中に底部封緘用フラップ（５）が剥がれない程度の接着力にて接着され、この接着力は接着面（６）の数や接着面積の大きさ等で調整すればよい。
【００１８】
次に本考案の使用方法について説明する。開口端部（２）が開口され、開口底部（４）が封緘された状態の封筒を郵送する際に、封筒の表側に住所及び宛名をパソコン等で印刷し後、予め用意した書類や手紙などの郵便物を封筒本体（１）の開口端部（２）から挿入し、開口部封緘用フラップ（３）を折りして裏紙の表面に貼着して封緘させる。
次に受取人が開封する場合は、底部封緘用フラップ（５）の接着していない開封片部（５ａ）を指で掴み、底部封緘用フラップ（５）を剥すと開口底部（４）側が開封され、そこから封筒内部の書類や手紙などを簡単に封筒から取り出せる。
このように、本封筒は開封が容易であると共に封筒に住所及び宛名をパソコン等で印刷する祭にも封筒の表面に接着剤が表出していないので支障なく印刷できる。
【符号の説明】
【００１９】
１  封筒本体
２  開口端部
３  開口部封緘用フラップ  
４  開口底部
５  底部封緘用フラップ
５ａ  開封片部
６  接着面
【図１】
0003230277.tif 000003
【図２】
0003230277.tif 000004
【図３】
0003230277.tif 000005
【図４】
0003230277.tif 000006